(57)【特許請求の範囲】
【請求項１】
外部の空気を導入可能な吸気口及び導入した空気を排出する排気口を有する箱体と、
前記排気口に設けられ、前記箱体の内部の空気を吸気して外部に排出する吸引手段と、
前記箱体の内部で前記排気口の手前に配置され、前記箱体の内部に吸引された空気内に含まれるエアロゾルの少なくとも一部を捕捉可能なフィルタと、
前記フィルタに、前記フィルタが捕捉したエアロゾルに含まれる自家発光性を有するタンパク質を発光させる励起光を照射する励起光源と、
前記フィルタにおいて自家発光しているタンパク質を撮影する撮影手段と、
前記撮影手段が撮影した前記フィルタの画像に含まれる発光領域に基づいて、屋内空間の安全度を評価する評価手段と、を備え、
前記励起光源は複数備えられ、複数の前記励起光源は、互いに波長が異なる励起光を発生することを特徴とする屋内衛生評価装置。
【請求項２】
前記箱体、前記吸引手段、前記励起光源、前記撮影手段及び前記評価手段を収納する、持ち運び自在の収納ケースを更に備えることを特徴とする請求項１記載の屋内衛生評価装置。
【請求項３】
複数の前記励起光源にそれぞれ対応し、前記撮影手段が取り込む光から少なくとも前記励起光源が発生する励起光の波長以下の波長の光をカットする複数の光学フィルタと、前記撮影手段が前記フィルタの撮影を行う際に、複数の前記光学フィルタの中から前記励起光源に対応する前記光学フィルタを前記撮影手段のレンズの前に配置させる切替手段と、更に備えることを特徴とする請求項１又は２記載の屋内衛生評価装置。
【請求項４】
複数の前記励起光源の一つが発生する励起光の波長は、４４０ｎｍ以上４６０ｎｍ未満の範囲にあることを特徴とする請求項１乃至３のいずれか１項記載の屋内衛生評価装置。
【請求項５】
前記吸引手段による吸気を開始する前に、前記フィルタに紫外線を照射する初期化光源を更に備えることを特徴とする請求項１乃至４のいずれか１項記載の屋内衛生評価装置。
【請求項６】
請求項５記載の屋内衛生評価装置を用いた屋内衛生評価方法であって、
前記初期化光源を発光させ、前記フィルタに紫外線を照射する初期化工程と、
前記吸引手段を駆動して、前記箱体の内部に吸引された空気内に含まれるエアロゾルの少なくとも一部を前記フィルタに捕捉させる吸引工程と、
前記吸引手段を停止した後、複数の前記励起光源を一つずつ発光させるとともに前記撮影手段で前記フィルタを撮影する検出工程と、
前記撮影手段で撮影した前記フィルタの画像に含まれる発光領域を集計し、発光領域が多いほど安全度が低いと評価する評価工程と、を有することを特徴とする屋内衛生評価方法。
【請求項７】
前記初期化工程は、前記初期化光源を発光させて前記フィルタに紫外線を照射した後、前記励起光源を発光させるとともに前記撮影手段で前記フィルタを撮影し、
前記評価工程は、前記初期化工程で撮影した画像と前記検出工程で撮影した画像との差分を取った画像に含まれる発光領域を集計することを特徴とする請求項６記載の屋内衛生評価方法。
【発明の詳細な説明】
【技術分野】
【０００１】
本発明は、屋内空間に漂うエアロゾルによる健康へ影響を評価する屋内衛生評価装置及び屋内衛生評価方法に関する。
【背景技術】
【０００２】
西暦２０２０年初頭から新型コロナウイルス（ＣＯＶＩＤ−１９）の感染者が拡がっており、全世界的な問題となっている。感染防止策として、身近なところではうがいや手洗いの励行、マスクの着用等が推奨されている。また、主な感染ルートが接触や飛沫によるところから、室内の飛沫を少なくするために室内の換気を行うことが推奨されている。このような背景から、社会衛生に対する関心が高まっており、特に、屋内空間の安全性に対する関心が非常に高まっている。
【０００３】
ところで、新型コロナウイルスに関わらず、屋内の空気中に漂うウイルスや細菌を検知することができれば、ウイルスに対する屋内空間の安全性を評価することができる。
ウイルスを検知する技術としては、従来、特許文献１に記載された技術がある。この技術は、空気中のＡ型インフルエンザウイルスを含み得る微粒子を捕集して捕集液に混合し、検出装置が、捕集液から表面増強蛍光法を利用して該ウイルスの核内タンパク質（ＮＰ：Ｎｕｃｌｅｏｐｒｏｔｅｉｎ）を光学的に検出する、というものである。
【先行技術文献】
【特許文献】
【０００４】
【特許文献１】特開２０２０−１２７００号公報
【発明の概要】
【発明が解決しようとする課題】
【０００５】
しかしながら、特許文献１に記載されている検知システムは、捕集液を保持する補修タンク以外に、洗浄液を保持する洗浄タンクや廃水を保持する廃水タンク等が設置されており、比較的大掛かりである。このため、別の場所に移動して微粒子を捕集して捕集液に混合することが困難であり、微粒子を捕集できるエリアが限られる。しかも、Ａ型インフルエンザウイルスの検出に試薬を用いており、その分手間や時間及びコストがかかる。
そこで、屋内における様々な場所での検出作業が可能であり、しかも作業が簡単であり、評価が出るまでの時間が短い屋内衛生評価装置及び屋内衛生評価方法の出現が望まれている。
【０００６】
本発明は、このような課題に鑑みなされたものであり、簡単でかつ容易に屋内の空気の安全性を評価することが可能な屋内衛生評価装置及び屋内衛生評価方法を提供することを目的とする。
【課題を解決するための手段】
【０００７】
前記目的を達成するため、本発明は以下のような構成を備えている。
【０００８】
本発明の屋内衛生評価装置は、
外部の空気を導入可能な吸気口（例えば、吸気口１０ａ、１０ｂ）及び導入した空気を排出する排気口（例えば、排気口１０ｃ）を有する箱体（例えば、ケース体１０）と、
前記排気口に設けられ、前記箱体の内部の空気を吸気して外部に排出する吸引手段（例えば、吸引装置２０）と、
前記箱体の内部で前記排気口の手前に配置され、前記箱体の内部に吸引された空気内に含まれるエアロゾルの少なくとも一部を捕捉可能なフィルタ（例えば、吸着フィルタ１１）と、
前記フィルタに、前記フィルタが捕捉したエアロゾルに含まれる自家発光性を有するタンパク質を発光させる励起光を照射する励起光源（例えば、ＬＥＤ光源１３ａ、１３ｂ、１３ｃ）と、
前記フィルタにおいて自家発光しているタンパク質を撮影する撮影手段（例えば、カメラ１４）と、
前記撮影手段が撮影した前記フィルタの画像に含まれる発光領域に基づいて、屋内空間の安全度を評価する評価手段（例えば、ＣＰＵ４１）と、を備え、
前記励起光源は複数備えられ、複数の前記励起光源は、互いに波長が異なる励起光を発生することを特徴とする。
【０００９】
本発明の屋内衛生評価装置によれば、フィルタが捕捉したエアロゾルに励起光を照射して、自家発光性を有するタンパク質を発光させ、発光したタンパク質を撮影し、その撮影画像に基づいて、空気中に漂う自家発光性を有するタンパク質を含むエアロゾルを定量的に測定する。これにより、タンパク質を含むエアロゾルは、ウイルスや細菌が付着している可能性があることから、エアロゾルを定量的に測定することにより、屋内空間に漂うエアロゾルによる健康へ影響度を評価することが可能になる。このように、吸引手段を駆動させてフィルタにエアロゾルを付着、堆積させることによって被検試料が作成できるため、被検試料を作成するための手間が大幅に削減できる。しかも、評価までにかかる時間は、吸引手段の駆動時間と、励起光照射及び撮影の時間と、撮影手段が撮影したフィルタの画像に含まれる発光領域を集計する時間とが必要となる。このため、特に、発光領域の集計をコンピュータによる画像処理で行うことによって、評価までにかかる時間を大幅に短縮することが可能になり、簡単でかつ容易に屋内の空気の安全性を評価することが可能な屋内衛生評価装置を提供することができる。
【００１０】
また、本発明の屋内衛生評価装置は、前記屋内衛生評価装置において、
前記箱体、前記吸引手段、前記励起光源、前記撮影手段及び前記評価手段を収納する、持ち運び自在の収納ケース（例えば、収納ケース１００）を更に備えることを特徴とする。
【００１１】
このような構成を有する本発明の屋内衛生評価装置によれば、屋内衛生評価装置の持ち運びが自在であることから、様々な場所における屋内の空気の安全性を評価することが可能になる。
【００１２】
また、本発明の屋内衛生評価装置は、前記屋内衛生評価装置において、
複数の前記励起光源にそれぞれ対応し、前記撮影手段が取り込む光から少なくとも前記励起光源が発生する励起光の波長以下の波長の光をカットする複数の光学フィルタ（例えば、光学フィルタ１４ｂ）と、前記撮影手段が前記フィルタの撮影を行う際に、複数の前記光学フィルタの中から前記励起光源に対応する前記光学フィルタを前記撮影手段のレンズ（例えば、レンズ１４ａ）の前に配置させる切替手段（例えば、フィルタターレット装置１５）と、更に備えることを特徴とする。
【００１３】
このような構成を有する本発明の屋内衛生評価装置によれば、励起光源の励起光が撮影手段のレンズに入る前に光学フィルタによってカットされるために、撮影手段が撮影した画像に、ＬＥＤ光源１３ａからの光が映り込むことを防止することができる。これにより、撮影手段が撮影した画像に基づいて、エアロゾル量をより正確に検出することが可能になる。
【００１４】
また、本発明の屋内衛生評価装置は、前記屋内衛生評価装置において、
複数の前記励起光源の一つが発生する励起光の波長は、４４０ｎｍ以上４６０ｎｍ未満の範囲にあることを特徴とする。
【００１５】
このような構成を有する本発明の屋内衛生評価装置によれば、フラビン類のタンパク質を発光させることが可能になる。
【００１６】
また、本発明の屋内衛生評価装置は、前記屋内衛生評価装置において、
前記吸引手段による吸気を開始する前に、前記フィルタに紫外線を照射する初期化光源（例えば、ＬＥＤ光源１３ｄ）を更に備えることを特徴とする。
【００１７】
このような構成を有する本発明の屋内衛生評価装置によれば、吸引手段を駆動する前に、初期化光源を発光させてフィルタに紫外線を照射する。これにより、吸引手段を駆動する前からフィルタに付着している、一部のタンパク質の自家発光性を低減させることが可能になり、吸引手段を駆動する前からフィルタに付着しているタンパク質の発光による影響を低減することが可能になる。その結果、屋内空気の安全性の評価に対する信頼性を高めることが可能になる。
【００１８】
また、本発明の屋内衛生評価装置を用いた屋内衛生評価方法であって、
前記初期化光源を発光させ、前記フィルタに紫外線を照射する初期化工程と、
前記吸引手段を駆動して、前記箱体の内部に吸引された空気内に含まれるエアロゾルの少なくとも一部を前記フィルタに捕捉させる吸引工程と、
前記吸引手段を停止した後、複数の前記励起光源を一つずつ発光させるとともに前記撮影手段で前記フィルタを撮影する検出工程と、
前記撮影手段で撮影した前記フィルタの画像に含まれる発光領域を集計し、発光領域が多いほど安全度が低いと評価する評価工程と、を有することを特徴とする。
本発明の屋内衛生評価方法によれば、上述した本発明の屋内衛生評価装置を用いることによる効果を奏するとともに、吸引手段を駆動する前に、初期化光源を発光させてフィルタに紫外線を照射する。これにより、吸引手段を駆動する前からフィルタに付着している、一部のタンパク質の自家発光性を低減させることが可能になり、検出工程において、吸引手段を駆動する前からフィルタに付着しているタンパク質の発光による影響を低減することが可能になる。その結果、屋内空気の安全性の評価に対する信頼性を高めることが可能になる。
【００１９】
また、本発明の屋内衛生評価方法は、前記屋内衛生評価方法において、
前記初期化工程は、前記初期化光源を発光させて前記フィルタに紫外線を照射した後、前記励起光源を発光させるとともに前記撮影手段で前記フィルタを撮影し、
前記評価工程は、前記初期化工程で撮影した画像と前記検出工程で撮影した画像との差分を取った画像に含まれる発光領域を集計することを特徴とする。
【００２０】
このような構成を有する本発明の屋内衛生評価方法によれば、初期化工程で撮影した画像と検出工程で撮影した画像との差分を取ることにより、吸引工程においてフィルタに付着したエアロゾルによる発光画像のみを残すことが可能になり、発光領域の集計にかかる処理が簡単なものとなる。これにより、評価までにかかる時間を短縮することが可能になる。
【発明の効果】
【００２１】
本発明によれば、簡単でかつ容易に屋内の空気の安全性を評価することが可能な屋内衛生評価装置及び屋内衛生評価方法を提供することが可能になる。
【図面の簡単な説明】
【００２２】
【図１】本発明の一実施形態における屋内衛生評価装置１の概要を示すブロック図である。
【図２】本発明の一実施形態における屋内衛生評価装置１の外観を示す斜視図である。
【図３】屋内衛生評価装置１を用いた屋内衛生評価方法の流れを示すフローチャートである。
【図４】吸着フィルタ１１の撮影画像の一例を示す図である。
【図５】評価工程において実行される処理の流れを説明するためのフローチャートである。
【図６】フィルタターレット装置１５の概略構成を示す正面図である。
【発明を実施するための形態】
【００２３】
以下、本発明の一実施形態について、図面を参照しながら詳細に説明する。
【００２４】
［屋内衛生評価装置１の構成］
図１は本発明の一実施形態における屋内衛生評価装置１の概要を示すブロック図である。
屋内衛生評価装置１は、検知装置５と、吸引装置２０と、電源装置３０と、制御装置４０と、Ｉ／Ｆ５０と、ダクト６０、６１、６２と、開閉装置６３、６４、６５と、これらの各種部品を収納する収納ケース１００と、を備えている。
【００２５】
検知装置５は、ケース体１０と、吸着フィルタ１１と、シャッタ装置１２と、ＬＥＤ光源１３ａ、１３ｂ、１３ｃ、１３ｄと、ＣＭＯＳカメラ１４と、を備えている。
【００２６】
ケース体１０は、シャッタ装置１２によって、吸着フィルタ１１を配置するとともに外気を取り込む吸気エリアＡと、ＬＥＤ光源１３ａ、１３ｂ、１３ｃ、１３ｄ及びＣＭＯＳカメラ１４を配置する検出機器エリアＢとに仕切られる。また、ケース体１０における吸気エリアＡの壁面に、吸気口１０ａ、１０ｂと排気口１０ｃが形成されている。ケース体１０は、可視光線及び紫外線を遮断できる樹脂によって構成されている。
【００２７】
吸着フィルタ１１は、不織布からなる１０μｍサイズ程度の粒子を捕捉可能な所定の厚みを有するシート状の部材であり、吸気エリアＡにおける排気口１０ｃの手前に配置されている。
【００２８】
シャッタ装置１２は、吸気エリアＡと検出機器エリアＢとを仕切るシャッタ板（図示せず）と、シャッタ板を駆動するアクチュエータ（図示せず）とからなる。シャッタ装置１２は、アクチュエータを駆動することにより、吸気エリアＡと検出機器エリアＢとを仕切っている仕切り状態と仕切りを解除する解除状態とに切り替えられる。
【００２９】
ＬＥＤ光源１３ａ、１３ｂ、１３ｃは、吸着フィルタ１１に、詳細については後述するが自家発光分子を有するタンパク質を蛍光発光させる励起光を照射するものである。ＬＥＤ光源１３ｄは、吸着フィルタ１１に紫外線を照射するものである。なお、シャッタ装置１２は、シャッタ板においてＬＥＤ光源１３ａ、１３ｂ、１３ｃ、１３ｄの光路となる範囲の部分のみをアクチュエータによって駆動可能なものに構成してもよい。
【００３０】
ＣＭＯＳカメラ１４は、レンズ１４ａと、レンズ１４ａの前に取り付けられる光学フィルタ１４ｂと、ＣＭＯＳイメージセンサ１４ｃと、ＣＭＯＳイメージセンサ１４ｃによって光変換された電気信号を読み出すための制御回路１４ｄと備えている。また、ＣＭＯＳカメラ１４は、ＣＭＯＳイメージセンサ１４ｃが高感度、高解像度であり、高速シャッタの機能を備え、レンズ１４ａとしてはマクロレンズが適用される。ＣＭＯＳカメラ１４は、レンズ１４ａが吸着フィルタ１１に対向するように設置されており、ＬＥＤ光源１３ａ、１３ｂ、１３ｃのいずれかによって照射された吸着フィルタ１１を撮影するものである。
【００３１】
光学フィルタ１４ｂは、レンズ１４ａの前方に配置され、レンズ１４ａの汚れを防止するものである。
光学フィルタ１４ｂは、４つ備えられており、図６に示すフィルタターレット装置１５に装着されている。フィルタターレット装置１５は、４つの光学フィルタ１４ｂを保持する円板体１５ａと、円板体１５ａを９０度ずつ回転させるモータ１５ｂとを備えている。４つの光学フィルタ１４ｂは、円板体１５ａの回転中心の周りに等間隔に配置されている。４つの光学フィルタ１４ｂにおける３つは、ＬＥＤ光源１３ａ、１３ｂ、１３ｃの個々に対応しており、後述する検出工程において使用される。残りの１つの光学フィルタ１４ｂは、ＬＥＤ光源１３ｄに対応しており後述する初期化工程において使用される。
モータ１５ｂは、制御装置４０によって駆動制御され、ＬＥＤ光源１３ａ、１３ｂ、１３ｃに対応する光学フィルタ１４ｂは、ＬＥＤ光源１３ａ、１３ｂ、１３ｃの発光の際に、レンズ１４ａの前方に配置され、ＬＥＤ光源１３ｄに対応する光学フィルタ１４ｂは、初期化工程においてレンズ１４ａの前方に配置される。
ＬＥＤ光源１３ａ、１３ｂ、１３ｃに対応する光学フィルタ１４ｂは、少なくとも対応するＬＥＤ光源が照射する励起光の波長以下の波長の光をカットする機能を持っている。このため、ＣＭＯＳカメラ１４による撮影画像に、ＬＥＤ光源１３ａ、１３ｂ、１３ｃからの光が映り込まないようにすることができる。なお、後述する初期化工程において使用される光学フィルタ１４ｂは、他の光学フィルタ１４ｂのように特定波長以下の波長の光をカットする機能を有していない。
【００３２】
吸引装置２０は、ケース体１０の外側に取り付けられ、排気口１０ｃから吸気エリアＡ内の空気を吸引するコンプレッサ２０ａと、このコンプレッサ２０ａを駆動制御する駆動制御部２０ｂとを備えている。
【００３３】
電源装置３０は、収納ケース１００に収納される各種の電気部品に電力を供給するものである。具体的に、電源装置３０は、シャッタ装置１２、ＬＥＤ光源１３ａ、１３ｂ、１３ｃ、１３ｄ、ＣＭＯＳカメラ１４、吸引装置２０、制御装置４０、開閉装置６３、６４、６５等に電力を供給する。
【００３４】
制御装置４０は、屋内衛生評価装置１の全体を制御するＣＰＵ４１と、屋内衛生評価装置１を制御するための各種のデータやプログラムを記憶するＲＯＭ４２と、ＣＭＯＳカメラ１４による撮影画像を記憶するＲＡＭ４３等を備えている。
Ｉ／Ｆ５０は、外部機器と制御装置４０とを接続するためのインターフェースである。
【００３５】
ダクト６０、６１は、ケース体１０の外側に基端部が取り付けられ、終端部側から吸気口１０ａ、１０ｂを介して外気を吸気エリアＡに導入する流路を形成する筒状の部材である。ダクト６２は、基端部が吸引装置２０に取り付けられ、吸気エリアＡから排気口１０ｃを介して吸引した空気を終端部側から屋内衛生評価装置１の外部に導く流路を形成する筒状の部材である。
【００３６】
開閉装置６３は、ケース体１０の外側に取り付けられ、吸気口１０ａを開閉する蓋体（図示せず）と、蓋体を駆動して吸気口１０ａの開放、閉鎖を切り替えるアクチュエータ（図示せず）とを備えている。同様に、開閉装置６４は、ケース体１０の外側に取り付けられ、吸気口１０ｂを開閉する蓋体（図示せず）と、蓋体を駆動して吸気口１０ｂの開放、閉鎖を切り替えるアクチュエータ（図示せず）とを備えている。開閉装置６５は、ケース体１０の外側に取り付けられ、排気口１０ｃを開閉する蓋体（図示せず）と、蓋体を駆動して排気口１０ｃの開放、閉鎖を切り替えるアクチュエータ（図示せず）とを備えている。
【００３７】
開閉装置６３、６４、６５は、通常状態において、吸気口１０ａ、１０ｂ及び排気口１０ｃを閉鎖しており、制御装置４０からの駆動信号に基づいてアクチュエータに電力が供給された場合に蓋体が移動して、吸気口１０ａ、１０ｂ及び排気口１０ｃが開放される。
【００３８】
なお、吸気口１０ａ、１０ｂ及び排気口１０ｃが全て閉鎖されている場合、ケース体１０は密閉状態となり、開閉装置６３、６４、６５に通電されない限り、外気がケース体１０の内部に流入することはできない。更に、シャッタ装置１２が閉鎖されている場合には、吸気エリアＡが密閉状態となり、吸気エリアＡと検出機器エリアＢとの間の空気の流入が規制される。
【００３９】
図２は、本発明の一実施形態における屋内衛生評価装置１の外観を示す斜視図である。
図２に示すように、収納ケース１００は、可視光線及び紫外線を遮断できる樹脂によって構成されており、図１に示す各種の部材を収納する箱状の収納部１０１と、収納部１０１の開口を閉鎖する蓋体部１０２とからなる。蓋体部１０２と収納部１０１とは図示しない蝶番によって連結されており、蝶番によって連結されている蓋体部１０２の縁部に対して反対側の蓋体部１０２の縁部が揺動することによって、収納部１０１の開口が開閉自在となる。そして、反対側の蓋体部１０２の縁部と収納部１０１の縁部とをパッチン錠１１０によって連結することにより、収納部１０１に蓋体部１０２が固定される。
【００４０】
収納ケース１００に取っ手１０３が取り付けられており、検査作業員は、取っ手１０３を持って屋内衛生評価装置１を運ぶことが可能である。また、収納ケース１００の下面部にキャスターを取り付けて、検査作業員が、屋内衛生評価装置１を押しながら運べるようにしてもよい。
【００４１】
収納部１０１には、吸気孔１０４と排気孔１０５とが形成されている。なお、図示していないが、収納部１０１において、図２に示す吸気孔１０４が形成されている側面に対向する側面にも吸気孔１０４が形成されている。また、収納部１０１の内部において、ダクト６０、６１の終端部は吸気孔１０４、１０４に対向するように収納部１０１の側面に固定されており、ダクト６２の終端部は排気孔１０５に対向するように収納部１０１の側面に固定されている。このため、ケース体１０の内部に収納ケース１００内の空気が吸引されることや、ケース体１０内の空気が収納ケース１００内に排気されることが低減される。なお、排気孔１０５から排出された空気が吸気孔１０４に戻らないように、排気孔１０５に延長ダクトを外付けしてもよい。
【００４２】
また、収納部１０１には、主電源スイッチ、電源ケーブルを接続するための電源コネクタ、Ｉ／Ｆ５０を構成する各種のコネクタが取り付けられている。Ｉ／Ｆ５０を構成する各種のコネクタとしては、外部のディスプレイに接続し、ＣＭＯＳカメラ１４が撮影した画像を外部のディスプレイに表示するための映像出力用のコネクタ（例えば、ＨＤＭＩ（登録商標））や、制御装置４０に各種の命令を入力するための入力機器を接続するためのコネクタ（例えば、ＵＳＢ）が備えられている。本実施形態によれば、Ｂｌｕｅｔｏｏｔｈ（登録商標）によって制御装置４０とタブレット端末２００とを無線接続することが可能であり、タブレット端末２００を用いてＣＭＯＳカメラ１４が撮影した画像の表示や、制御装置４０に対する各種の命令の入力が可能になる。なお、図示していないが、主電源スイッチ、電源ケーブルを接続するための電源コネクタ、Ｉ／Ｆ５０を構成する各種のコネクタは外部に露出しないようにカバーで覆われており、カバーは屋内衛生評価装置１の使用時に開くことができるように構成されている。
【００４３】
収納ケース１００の大きさには、ＣＭＯＳカメラ１４の焦点距離が関わってくる。本実施形態によれば、レンズ１４ａとしてマクロレンズが適用されるため、吸着フィルタ１１とＣＭＯＳカメラ１４との間の距離を比較的短くすることが可能であり、その分小型の収納ケース１００が使用可能である。本実施形態によれば、アタッシュケース程度の大きさまで小型化することが可能になる。また、屋内衛生評価装置１を構成する個々の部材に重量物がないため、屋内衛生評価装置１は持ち運び可能な程度の重さに構成されている。
【００４４】
［屋内衛生評価装置１による屋内空間の評価原理］
次に、本実施形態の屋内衛生評価装置１による屋内空間の評価原理について説明する。
屋内衛生評価装置１は、室内空間に漂う自家発光分子を有するタンパク質（以下、自家発光性タンパク質と称する）を含むエアロゾルを検出し、当該エアロゾルの検出量に基づいて定量的に室内空間の安全性を評価するものである。詳細については後述するが、屋内衛生評価装置１は、吸引装置２０を駆動させることによって、ケース体１０の吸気エリアＡに外気を取り込み、吸着フィルタ１１を介して外部に排出させることで吸着フィルタ１１にエアロゾルを付着させる。その後、吸着フィルタ１１に励起光を照射することによって自家発光性タンパク質を発光させ、この発光を撮影することによって自家発光性タンパク質を検出する。そして、撮影画像を解析することによって自家発光性タンパク質の発光量を求め、この発光量に基づいて室内空間の安全性を評価する、というものである。
【００４５】
ここで、エアロゾルは、スギ花粉、飛沫、飛沫核、細菌、ウイルスのように広い意味で空中浮遊している個体又は液体を指す。自家発光性タンパク質を含むエアロゾルとしては、人間の口から出る飛沫、スギ花粉、カビ等がある。また、ウイルスの中にも自家発光性タンパク質を持っているウイルスもある。本実施形態によれば、自家発光性タンパク質を有するエアロゾルは検出可能であるが、自家発光性タンパク質を有していないウイルスや物質（例えば、黄砂）等は検出が困難である。その一方で、人から発せられる飛沫にはウイルスが含まれている可能性があり、しかも、タンパク質はウイルスだけでなく、細菌の温床にもなり得る。このような点から、室内空間に漂う自家発光性タンパク質を含むエアロゾル量は、ウイルスが浮遊している可能性を含めて、室内環境における健康への影響度を評価する指針とすることが可能であり、自家発光性タンパク質を含むエアロゾル量が多いほど健康への影響度が高いと評価することができる。
【００４６】
［屋内衛生評価装置１による評価方法］
図３は、屋内衛生評価装置１を用いた屋内衛生評価方法の流れを示すフローチャートである。屋内衛生評価装置１のＣＰＵ４１が、ＲＯＭ４２に記憶されている屋内衛生評価プログラムを実行することにより、屋内衛生評価処理が開始される。屋内衛生評価処理は、最初に初期化工程（Ｓ１）を実行する処理が行われ、続いて吸引工程（Ｓ２）、検出工程（Ｓ３）及び評価工程（Ｓ４）が順番に自動的に実行する処理が行われる。評価工程の処理が終了した場合に屋内衛生評価処理が終了する。
【００４７】
初期化工程（Ｓ１）は、ＬＥＤ光源１３ｄが吸着フィルタ１１へ紫外線（ＵＶ−Ｃ光）を照射する工程である。紫外線を照射することより、吸着フィルタ１１に付着しているタンパク質構造を壊し、蛍光発光をできなくすることが期待できる。このように、観測前に吸着フィルタ１１に付着している自家発光性タンパク質を予め蛍光発光できなくすることで、観測精度を上げることが可能になる。初期化工程が終了すると、吸引工程が開始される。
【００４８】
吸引工程（Ｓ２）は、開閉装置６３、６４、６５を開放させ、吸引装置２０を駆動させることにより、室内の空気を吸着フィルタ１１に通す工程である。この工程で、吸着フィルタ１１にエアロゾルが付着、堆積する。吸引工程が終了すると、検出工程が開始される。
【００４９】
検出工程（Ｓ３）は、ＬＥＤ光源１３ａ、１３ｂ、１３ｃが吸着フィルタ１１へ励起光を照射して、自家発光性タンパク質を発光させる工程と、ＬＥＤ光源が励起光を照射することによって発光した自家発光性タンパク質をＣＭＯＳカメラ１４で撮影する工程とを有する。ＣＭＯＳカメラ１４で撮影した画像において発光している個々の領域が自家発光しているタンパク質であり、吸着フィルタ１１に付着、堆積したエアロゾルに相当する。検出工程が終了すると、評価工程が開始される。
【００５０】
評価工程（Ｓ４）は、ＣＭＯＳカメラ１４で撮影した画像において発光している発光領域を画像処理によって求め、発光領域の大きさを集計する工程と、これらの集計データに基づいて室内環境における健康への影響度を評価する工程とを有する。ＣＭＯＳカメラ１４で撮影した画像において発光している個々の発光領域の総和がエアロゾル量に相当し、発光している個々の発光領域の総和に基づいて室内環境における健康への影響度が評価される。
【００５１】
［屋内衛生評価装置１の仕様］
次に、本実施形態の屋内衛生評価装置１の仕様について、より具体的に説明する。
【００５２】
本実施形態によれば、ＬＥＤ光源１３ａ、１３ｂ、１３ｃが用意されており、ＬＥＤ光源１３ａは３６５ｎｍ、ＬＥＤ光源１３ｂは４００ｎｍ、ＬＥＤ光源１３ｃは４４５ｎｍの波長の励起光を吸着フィルタ１１に照射することができる。また、本実施形態によれば、他にもＬＥＤ光源１３ｄが設置されており、ＬＥＤ光源１３ｄは初期化工程に使用され、２６５ｎｍの波長の紫外線（ＵＶ−Ｃ光）を吸着フィルタ１１に照射することができる。
【００５３】
例えば、フラビン類のタンパク質は３８０〜４９０ｎｍあたりの励起光であれば概ね発光可能である。なお、ここで言うフラビン類とは、フラビン以外にフラビンの化合物も含まれている。このため、ＬＥＤ光源１３ｂ、１３ｃからの励起光により、フラビン類のタンパク質を発光させることが可能になる。フラビン類は、４４０ｎｍ以上４６０ｎｍ未満の範囲、特に、４５０ｎｍあたりの励起光が顕著に発光することから、少なくともＬＥＤ光源１３ｃを撮影用に使用することが望ましい。また、花粉のタンパク質は３６０ｎｍあたりの励起光であれば概ね発光可能である。
【００５４】
本実施形態によれば、ＬＥＤ光源１３ａ、１３ｂ、１３ｃを順番に発光、撮影を行う通常モードと、スギ花粉をターゲットとしてＬＥＤ光源１３ａの励起光を照射してスギ花粉のタンパク質を撮影する花粉モードと、フラビン類をターゲットとしてＬＥＤ光源１３ｃの励起光を照射してフラビン類を撮影するフラビンモードと、が選択可能である。
【００５５】
また、ＬＥＤ光源１３ｃに対応する光学フィルタ１４ｂは、少なくとも４４５ｎｍ以下の光をカットすることができるものが使用可能である。本実施形態によれば、フラビン類の蛍光放射は５２０〜５６０ｎｍあたりであることから、フラビンモードにおいてレンズ１４ａの前に５００ｎｍ以下の光をカットする光学フィルタ１４ｂが配置される。これにより、ＬＥＤ光源１３ａからの光の映り込みを防止することができるとともに、フラビン類を以外のタンパク質による蛍光発光の映り込みを防止することが可能になり、フラビン類を含むエアロゾル量をより正確に検出することが可能になる。なお、フラビン類に限らず、一般に、励起光の波長よりも、励起光によって発光した蛍光放射の波長の方が長い。このため、ターゲットとなるタンパク質が決まっている場合には、励起光の波長から蛍光放射の波長までの範囲で、光学フィルタ１４ｂがカットする波長を適宜決めてもよい。
【００５６】
また本実施形態においては、吸着フィルタ１１として、１０μｍぐらいのエアロゾルが捕捉できる不織布が採用されている。このため、１０μｍよりも小さいエアロゾルであれば、吸着フィルタ１１を通過可能であるが、その一方で、吸着フィルタ１１の繊維に付着して堆積するエアロゾルもある。また本実施形態においては、吸引装置２０を用いているため、吸着フィルタ１１上におけるエアロゾルの体積密度を高くすることが可能となり、その分、発光領域の検出を行い易くすることができる。なお、吸着フィルタ１１としては、きめが細かく多くのエアロゾルを捕捉できることが望ましいが、一部のエアロゾルを捕捉することでも、屋内空間のエアロゾル量を検出することは可能である。
【００５７】
［屋内衛生評価装置１の使用例］
次に、本実施形態の屋内衛生評価装置１の使用例について、より具体的に説明する。
まず、作業員が屋内衛生評価装置１を評価対象となる室内に搬送して、電源ケーブルを接続する。そして、作業員が屋内衛生評価装置１の主電源スイッチをオンにすると、自動的に屋内衛生評価装置１とタブレット端末２００とが無線通信可能な状態になる。
【００５８】
次に、作業員がタブレット端末２００を操作してモードの指定を行い、屋内衛生評価装置１に開始信号を送信し、ＣＰＵ４１に、作業員が指定したモードに基づく屋内衛生評価プログラムを実行開始させる。なお、作業員は、室外に出てタブレット端末２００を操作することも可能である。
【００５９】
例えば、通常モードの屋内衛生評価プログラムが実行されると、まず、初期化工程が開始され、ＣＰＵ４１は、シャッタ装置１２を駆動させ、ＬＥＤ光源１３ａ、１３ｂ、１３ｃ、１３ｄによる吸着フィルタ１１への光照射が可能な状態にする。この時、開閉装置６３、６４、６５が閉鎖状態にある。次に、ＣＰＵ４１は、初期化工程で使用する光学フィルタ１４ｂをレンズ１４ａの前方に配置させ、ＬＥＤ光源１３ｄを発光させて、吸着フィルタ１１へ紫外線を所定時間照射することにより、吸着フィルタ１１を初期化する。次に、ＣＰＵ４１は、ＬＥＤ光源１３ａ、１３ｂ、１３ｃの順で吸着フィルタ１１に励起光を照射させる。そして、ＬＥＤ光源１３ａ、１３ｂ、１３ｃがそれぞれ励起光を照射している間にＣＭＯＳカメラ１４を駆動させることにより、ＣＭＯＳカメラ１４が吸着フィルタ１１を撮影する。ＣＭＯＳカメラ１４が撮影した３つの撮影データは、制御装置４０に送信されてＲＡＭ４３に初期データとして記憶される。
ＬＥＤ光源１３ａ、１３ｂ、１３ｃの発光及びそれに伴う吸着フィルタ１１の撮影が終了した場合に初期化工程が終了し、次に吸引工程が開始される。
【００６０】
吸引工程が開始されると、ＣＰＵ４１は、開閉装置６３、６４、６５を開放させ、吸引装置２０を駆動させる。これにより、室内空間の空気が吸気口１０ａ、１０ｂを通って吸気エリアＡに集気され、吸着フィルタ１１を通して排気口１０ｃから外部に排出される気流が形成される。このとき、外気とともに吸気エリアＡに集められたエアロゾルの一部が吸着フィルタ１１に付着、堆積する。ＣＰＵ４１は、吸引装置２０を予め定められた吸気時間だけ駆動させ、吸気時間に到達した時点で、吸引装置２０を停止させるとともに、開閉装置６３、６４、６５を閉鎖させる。これにより、吸引工程が終了し、次に検出工程が開始される。
【００６１】
検出工程が開始されると、ＣＰＵ４１は、シャッタ装置１２を駆動させ、ＬＥＤ光源１３ａ、１３ｂ、１３ｃから吸着フィルタ１１への励起光照射が可能な状態にする。次に、ＣＰＵ４１は、ＬＥＤ光源１３ａを発光させ、ＬＥＤ光源１３ａに対応する光学フィルタ１４ｂをレンズ１４ａの前方に配置させ、吸着フィルタ１１へ励起光を照射させながら、ＣＭＯＳカメラ１４を駆動させることにより、ＣＭＯＳカメラ１４が吸着フィルタ１１を撮影する。撮影後、撮影データは、制御装置４０に送信されてＲＡＭ４３に記憶される。ＣＰＵ４１は、所定時間経過後、ＬＥＤ光源１３ａを消灯させて、次にＬＥＤ光源１３ｂを発光させる。ＬＥＤ光源１３ｂを発光させた場合も同様に、ＬＥＤ光源１３ｂに対応する光学フィルタ１４ｂをレンズ１４ａの前方に配置させてから、ＣＭＯＳカメラ１４が吸着フィルタ１１の撮影を行い、撮影データを制御装置４０に送信してＲＡＭ４３に記憶する。ＣＰＵ４１は、所定時間経過後、ＬＥＤ光源１３ｂを消灯させて、次にＬＥＤ光源１３ｃを発光させる。この場合も同様に、ＣＭＯＳカメラ１４が吸着フィルタ１１を撮影し、撮影後、撮影データを制御装置４０に送信する。
【００６２】
図４は、吸着フィルタ１１の撮影画像の一例を示す図である。ここで、図４は、実際の撮影画像を白黒反転したものであり、黒い領域が発光領域となる。図４に示すように不織布の繊維にエアロゾルが付着することにより、点状或いは線状に発光する。ＬＥＤ光源１３ｃを発光させ、吸着フィルタ１１の撮影を終了した場合に、吸引工程が終了し、次に評価工程が開始される。
【００６３】
図５は、評価工程において実行される処理の流れを説明するためのフローチャートであり、評価工程が開始されると、ＣＰＵ４１は、ＲＡＭ４３から初期データ及び撮影データを読み出し（Ｓ１０）、検出工程において取得した、ＬＥＤ光源１３ａからの励起光照射時の撮影データと、ＬＥＤ光源１３ａの初期データとの差分を取る（Ｓ１１）。ここで言う差分を取るとは、排他的論理和を取ることを指す。つまり、差分を取ることによって、吸引工程において、吸着フィルタ１１に対して新たに付着した自家蛍光性タンパク質の発光画像が残る。
【００６４】
同様に、ＬＥＤ光源１３ｂ、１３ｃからの励起光照射時の撮影データと、初期化工程において取得した、ＬＥＤ光源１３ｂ、１３ｃの初期データとの差分を取る。次に、ＣＰＵ４１は、４つの差分データからそれぞれ発光領域の総和を求める。発光領域の総和は、例えば、差分データにおける発光強度を画素毎に、予め設定した発光強度を閾値として二値化し、発光している画素数を計数することにより求めることができる。次に、ＣＰＵ４１は、ＲＯＭ４２に記憶されている評価値テーブルを参照して発光領域の総和に対応する評価を求め（Ｓ１２）、その評価結果をタブレット端末２００に送信する（Ｓ１３）。
【００６５】
作業員は、タブレット端末２００に表示される評価結果を見ることにより、室内環境の評価を知ることができる。なお、ＬＥＤ光源１３ａ、１３ｂ、１３ｃからの励起光照射時の初期データの画像や撮影データの画像、及び差分データの画像を、タブレット端末２００に表示可能にしてもよい。これにより、タンパク質の蛍光発光具合を視認することが可能になり、例えば、スギ花粉が多いとか、細菌が多いとかの判断に役立てることができる。
【００６６】
［作用効果］
このように構成された本実施形態によれば、吸着フィルタ１１が捕捉したエアロゾルに励起光を照射して、自家発光性を有するタンパク質を発光させ、発光したタンパク質を撮影し、その撮影画像に基づいて、空気中に漂う自家発光性を有するタンパク質を含むエアロゾルを定量的に測定する。これにより、タンパク質を含むエアロゾルは、ウイルスや細菌が付着している可能性があることから、エアロゾルを定量的に測定することにより、屋内空間に漂うエアロゾルによる健康へ影響度を評価することが可能になる。
【００６７】
また本実施形態によれば、屋内衛生評価装置１は簡単に持ち運びが可能であり、作業員が、検査の対象となる室内に屋内衛生評価装置１を持ち込み、その後、タブレット端末２００の操作により、屋内衛生評価装置１に直接触れることなく駆動させることが可能となる。これにより、様々な場所で屋内空間の評価を行うことが可能になり、しかも、評価対象が環境に問題のある屋内空間であっても、作業員はその空間で長時間作業する必要がなくなる。
【００６８】
また、吸引装置２０を駆動させて吸着フィルタ１１にエアロゾルを付着させるという簡単な方法で被検試料を作成することが可能であり、被検試料に対して励起光を照射しながらＣＭＯＳカメラ１４で撮影し、この撮影画像を画像処理によって蛍光発光している領域を求めるという簡単な方法でエアロゾル量を求めることができる。これにより、エアロゾル量を求めるための手間や時間を大幅に短縮することが可能になり、評価が出るまでの時間を大幅に短縮することが可能になる。
【００６９】
また、初期化工程において、吸着フィルタ１１に既に付着している自家発光性タンパク質が発光しないようにすることにより、吸着フィルタ１１の交換回数を少なくすることが可能となる。
【００７０】
［変形例］
以上、本発明の一実施形態について説明したが、本発明は、上述したものに限るものではない。例えば、本実施形態によれば、エアロゾルを検出するためにフラビン類をターゲットとしているが、他の自家発光性タンパク質をターゲットとしてもよい。また、本実施形態によれば、ＬＥＤ光源１３ａ、１３ｂ、１３ｃの３つの撮影用の光源を備えているが、撮影用の光源は、それより多くても少なくてもよい。また、３つの撮影用の光源を全て撮影に使用する必要はなく、ターゲットとなる自家発光性タンパク質が最も発光しやすい波長の光源のみを使用してもよい。
【００７１】
また、ＬＥＤ光源１３ａ、１３ｂ、１３ｃ、１３ｄを付け替え可能とし、別の波長のＬＥＤ光源を設置可能にしてもよい。これにより、ターゲットとなる自家発光性タンパク質の範囲を広げたり、ターゲットとなる自家発光タンパク質に応じて初期化工程で使用するＬＥＤ光源を設置したりすることが可能になり、より具体的な屋内空間の安全性の評価を行うことが可能になる。
【００７２】
また、評価工程において、差分データに基づいて求めた発光領域の総和が極めて少ない場合（例えば、０の場合）、検出工程に戻り、励起光の照射時間及びＣＭＯＳカメラ１４の露出時間を長くして再度、吸着フィルタ１１の撮影を行う。そして、評価工程において、新たな撮影データに基づく評価を行ってもよい。
【００７３】
また、本実施形態によれば、吸引装置２０としてコンプレッサを用いているが、それ以外でも、エアロゾルを帯電装置によって帯電させて、吸着フィルタ１１に静電気によって吸着させてもよい。例えば、吸着フィルタ１１に付着したエアロゾルの水分が蒸発した場合に、吸引装置２０がコンプレッサであれば、エアロゾルに付着していたウイルスが落下することがあり得る。一方、吸引装置２０が帯電式であれば、ウイルスも帯電しているため、吸着フィルタ１１から落下し難くすることが可能になり、屋内衛生評価装置１による評価の信頼性を維持することが可能になる。
更に、吸引装置２０として排気ファンを用いてもよい。これにより、屋内衛生評価装置１の更なる軽量化が図れ、可搬性を向上させることができる。また、吸引装置２０が収納ケース１００に対して外付けであってもよい。
【００７４】
また、本実施形態によれば、屋内衛生評価装置１のＣＰＵ４１が評価工程を実行しているが、それに限らず、屋内衛生評価装置１或いはタブレット端末２００が初期データ及び撮影データを外部端末に送信し、外部端末が評価工程を実行して、評価結果を屋内衛生評価装置１或いはタブレット端末２００に送信するようにしてもよい。これにより、画像処理能力の高い外部端末を使用することが可能になり、より詳細でかつ信頼性の高い評価結果を得ることが可能になる。
【００７５】
また、本実施形態によれば、作業員が屋内衛生評価装置１を評価対象の屋内空間に持ち込んでいるが、それに限らず、屋内衛生評価装置１に自走装置を設け、タブレット端末２００の操作により、遠隔操作で屋内衛生評価装置１を評価対象の屋内空間に移動させてもよい。更には、屋内衛生評価プログラムに移動工程を加え、特定時刻に屋内衛生評価プログラムを実行させて、まず、初期位置の屋内衛生評価装置１を第１の評価位置に移動させ、第１の評価位置における評価を終了した場合に、第２の評価位置に移動させ、第２の評価位置における評価を終了した場合に、第３の評価位置に移動させる。そして、最後の評価位置における評価を終了した場合に、初期位置に戻る、という作業を自動的に行うようにしてもよい。
【符号の説明】
【００７６】
１  屋内衛生評価装置
５  検知装置
１０  ケース体
１０ａ、１０ｂ  吸気口
１０ｃ  排気口
１１  吸着フィルタ
１２  シャッタ装置
１３ａ、１３ｂ、１３ｃ、１３ｄ  紫外線ＬＥＤ光源
１４  カメラ
１４ａ  レンズ
１４ｂ  光学フィルタ
１４ｃ  イメージセンサ
１４ｄ  制御回路
１５  フィルタターレット装置
２０  吸引装置
２０ａ  コンプレッサ
２０ｂ  駆動制御部
３０  電源装置
４０  制御装置
４１  ＣＰＵ
４２  ＲＯＭ
４３  ＲＡＭ
６０、６１、６２  ダクト
６３、６４、６５  開閉装置
１００  収納ケース
１０１  収納部
１０２  蓋体部
１０３  取っ手
１０４  吸気孔
１０５  排気孔
１１０  パッチン錠
２００  タブレット端末
【要約】
【課題】簡単でかつ容易に屋内の空気の安全性を評価する。
【解決手段】吸気口１０ａ、１０ｂ及び排気口１０ｃを有するケース体１０と、排気口１０ｃに設けられ、ケース体１０の内部の空気を吸気して外部に排出する吸引装置２０と、ケース体１０の内部で排気口１０ｃの手前に配置され、エアロゾルを捕捉可能な吸着フィルタ１１と、吸着フィルタ１１に励起光を照射して、吸着フィルタ１１が捕捉したエアロゾルに含まれる自家発光性を有するタンパク質を発光させるＬＥＤ光源１３ａ、１３ｂ、１３ｃと、吸着フィルタ１１において自家発光しているタンパク質を撮影するカメラ１４と、カメラ１４が撮影した吸着フィルタ１１の画像に含まれる発光領域に基づいて、屋内空間の安全度を評価する評価手段（ＣＰＵ４１）と、を備え、ＬＥＤ光源１３ａ、１３ｂ、１３ｃは、互いに波長が異なる励起光を発生する。
【選択図】図１【図１】
0006860183.tif 000002
【図２】
0006860183.tif 000003
【図３】
0006860183.tif 000004
【図４】
0006860183.tif 000005
【図５】
0006860183.tif 000006
【図６】
0006860183.tif 000007